(57)【要約】  本発明は、ショーウィンドウの広告、屋外の広告、閉鎖空間の広告など、すべての種類の広告物を含むモデルであり、広告の一部にバーチャルではなく本物の三次元の特徴を備え、メインボックス（１）、板（２）、鏡／反射面（３）、電子回路（４）、軟質（紙／繊維）素材／テフロンドライ系潤滑剤（５）、エンジン−１（６）、エンジン−２（７）、機構エンジン（８）、金属板（９）、バッテリ（１０）、照明ユニット（１１）、磁石（１２）、金属棒（１３）、歯車エンジン（１４）、メイン歯車−１（１５）、中間歯車（１６）、メイン歯車−２（１７）、製品内の磁石（１８）から成る。本物の製品の半分が空中を回転していて、残りの半分はバーチャルな様式で鏡／反射面に反映されている画像を提供可能であり、製品全体が何もない空間で回転している映像を提供できる。【選択図】  図１
2014518734.tif 000002
【特許請求の範囲】
【請求項１】
メインボックス（１）と、板（２）と、鏡／反射面（３）と、電子回路（４）と、軟質（紙／繊維）素材／テフロンドライ系潤滑剤（５）と、エンジン−１（６）と、エンジン−２（７）と、機構エンジン（８）と、金属板（９）と、バッテリ（１０）と、照明ユニット（１１）と、磁石（１２）と、金属棒（１３）と、歯車エンジン（１４）と、メイン歯車−１（１５）と、中間歯車（１６）と、メイン歯車−２（１７）と、製品内の磁石（１８）とからなる
ことを特徴とする分離型及び携帯型製品広告スタンド。
【請求項２】
一点に穴を開けることを必要としない鏡／反射面（３）を備える
請求項１に記載の広告スタンド。
【請求項３】
鏡／反射面に損害を与えず、鏡／反射面が気づかれないようにする軟質（紙／繊維）表面／テフロンドライ系潤滑剤（５）を備える
請求項２に記載の広告スタンド。
【請求項４】
曲線状の前後運動を供する機構エンジン（８）と、メインボックス（１）内で円形状の回転を供するエンジン−２（７）と、自転を供し、メインボックス（１）の回りの回転を供するエンジン−１（６）とを備え、お互いを妨害せずに、２以上の製品の回転を提供する鏡／反射面（３）に損傷を与えない
請求項１に記載の広告スタンド。
【請求項５】
金属板（９）に接続される磁石（１２）を備え、金属板（９）が請求項３に記載のエンジン（６、７、８）に接続されている
請求項１に記載の広告スタンド。
【請求項６】
請求項５に記載の磁石（１２）の代替として、２つ以上の製品を同時に回転させる歯車エンジン（１４）と、メイン歯車−１（１５）と、中間歯車（１６）と、メイン歯車−２（１７）を備える
請求項１に記載の広告スタンド。
【発明の詳細な説明】
【技術分野】
【０００１】
本発明は、分離型及び携帯型製品広告スタンドに関する。
【背景技術】
【０００２】
現在使用されているモデルでは、製品は一点のみからしか回転できないという技術的な問題、反射面に穴を開けることによる技術的な問題、及び幅広の表面を有する製品（携帯電話、飛行機、車、時計、飲料用箱など）に対する技術的な問題がある。鏡／反射面が傷付きやすいために、鏡／反射面に傷が生じ、それによって、反射面が目に見えるという問題が生じる。
【発明の概要】
【課題を解決するための手段】
【０００３】
本発明は、ショーウィンドウの広告、屋外の広告、閉鎖空間の広告など、すべての種類の広告物を含むモデルであり、広告の一部にバーチャルではなく本物の三次元の特徴を備える。本発明は、合計１４の部品からなる。すべての部品は、所望する寸法の部品と交換が可能であり、展示する製品が金属製またはプラスチック製または木製である必要はない。従前の発明とは異なり箱の内側で反射面への接続を持たず、すべての変化を箱全体の内部で実行可能であり、一点のみに限定されない。本発明は、本物の製品の半分が空中を回転していて、残りの半分はバーチャルな様式で鏡／反射面に反映されている画像を提供可能であり、したがって、製品全体が何もない空間で回転している映像を提供可能である。
【０００４】
本発明を用いると、前述の問題は解消される。
【図面の簡単な説明】
【０００５】
【図１】製品の組み立て斜視図
【図２】エンジンの詳細斜視図
【図３】製品１の分解説明図
【図４】エンジン及び金属板の分解説明図
【図５】バッテリ及び照明ユニットの分解説明図
【図６】歯車付きのエンジンの斜視図
【発明を実施するための形態】
【０００６】
本発明は分離型及び携帯型製品広告スタンドに関する。
【０００７】
メインボックス（１）は、以下の部品からなる。板（２）、鏡／反射面（３）、電子回路（４）、軟質（紙／繊維）素材／テフロンドライ系潤滑剤（５）、エンジン−１（６）、エンジン−２（７）、機構エンジン（８）、金属板（９）、バッテリ（１０）、照明ユニット（１１）、磁石（１２）、金属棒（１３）、歯車エンジン（１４）、メイン歯車−１（１５）、中間歯車（１６）、メイン歯車−２（１７）、製品内の磁石（１８）。
【０００８】
メインボックス（１）の内側は、傾斜した長方形である必要があり、外側は、任意の種類の素材を用いて、要望するすべての形態で作成可能である。正面はガラスまたはプレキシグラス素材となり、内側の展望を妨げないようにする。次に（製品の回転が停止し、ＬＥＤが消えるとき）正面は閉じられ、軽く影を付けたフィルム素材で覆われる。内側の展望はこのように妨害される。内側のうち、右壁及び左壁まで、正面上部から背面底部まで、傷が付きやすい鏡／反射面（３）が４５度の角度で設置される。正方形の重ね継ぎは角度と平行線に取り付けられ、それによって、鏡／反射面（３）が見えなくなる。
【０００９】
鏡／反射面の正面の照明は以下のように扱われる。電子回路（４）は背面内側部分に設置され、取り換え可能な色のオプションを有する。磁石（１２）は対称でなくてはならず、製品の背面側に取り付けられる。この磁石（１２）を用いることで、鏡／反射面（３）のひっかき傷が排除され、鏡／反射面（３）は軟質（紙／繊維）素材／テフロンドライ系潤滑剤（５）で覆われる。エンジン−１（６）は、製品を正面から自転させ、エンジン−２（７）は製品を箱の内側内部の周囲内で回転させ、この回転を実施中に、同時に、機構エンジン（８）は製品の前後運動を提供する。それによって、電子装置はお互いに接続する。これらすべてが金属棒（１３）に接続される。金属棒（１３）は、箱の背面側の２つの壁まで、４５度の角度を有する表面と平行線に位置する。複雑なエンジン（６、７、８）の最下部には、金属板（９）がある。金属板（９）も、４５度の表面と平行線に、表面と接触するが、それ自体の運動の自由を有し、調整可能な様々な大きさの１または複数の間隔をおいて、金属板（９）の上には磁石が取り付けられている。上記すべてに対するエネルギは、メインボックス（１）の内面に設置されている様々な電源のバッテリから提供される。
【００１０】
リモートコントロール（１４）は、上記すべての操作をオン及びオフにし、加速及び減速を行い、エンジンの操作を１つずつ、または２つ一緒に、またはすべてのエンジンの操作を同時に構成し、色の選択を提供し、照明設備を提供する。
【００１１】
本発明を用いると、鏡／反射面（３）に一点から穴を開ける必要がなくなる。エンジン−１（６）、エンジン−２（７）及び機構エンジン（８）を用いる。エンジン−１（６）は鏡／反射面の背後で自転する。エンジン−２（７）は、メインボックス（１）内で円形の回転を提供する。機構エンジン（８）は円形の回転中に曲線の前後運動を提供する。このようにして、２以上の製品は、お互いを妨害せずに、かつ鏡／反射面（３）に干渉せずに、メインボックス（１）の内径内で自転する。（たとえば、太陽、地球、月及び惑星を１つに合わせたようなモデルである）。
【００１２】
圧力の重さは、金属板（９）で接続されるエンジン−１（６）、エンジン−２（７）及び機構エンジン（８）に同じ大きさで印加される。金属板（９）上には、製品が鏡／反射面（３）の正面に製品上の磁石（１８）及び別の磁石（１２）によって保持される。磁石（１８）及び別の磁石（１２）は間隔を開けて配置されてもよい。製品の背面側は軟質（紙／繊維）素材／テフロンドライ系潤滑剤によって覆われるため、鏡／反射面（３）を傷つける問題または、鏡／反射面（３）が気づかれる問題は排除される。
【００１３】
代替的に、本発明は歯車エンジン（１４）の使用を提供する。歯車エンジン（１４）はメイン歯車−１（１５）によって操作され、この運動によって、中間歯車（１６）の回転を支援する。メイン歯車−１（１５）及びメイン歯車−２（１７）は表面上の磁石（１２）を用いて、機器を自転させ、円形の運動を提供する。それによって、２つ以上の製品が同時に回転可能である。
【００１４】
従前のモデルは、眼鏡、宝石、ブレスレット、ネックレスなどの幅が狭く、一点で接続可能な製品に対して使用可能であったが、本発明を用いると、製品が対称形である場合、１または複数の製品を故障なく回転させることが可能である。
【符号の説明】
【００１５】
１  メインボックス
２  板
３  鏡／反射面
４  電子回路
５  軟質素材（紙／繊維）／テフロンドライ系潤滑剤
６  エンジン−１
７  エンジン−２
８  機構エンジン
９  金属板
１０  バッテリ
１１  照明ユニット
１２  磁石
１３  金属棒
１４  歯車エンジン
１５  メイン歯車−１
１６  中間歯車
１７  メイン歯車−２
１８  製品内の磁石
【図１】
2014518734.tif 000003
【図２】
2014518734.tif 000004
【図３】
2014518734.tif 000005
【図４】
2014518734.tif 000006
【図５】
2014518734.tif 000007
【図６】
2014518734.tif 000008
【国際調査報告】
2014518734.tif 000009
2014518734.tif 000010
2014518734.tif 000011
2014518734.tif 000012